(57)【特許請求の範囲】
【請求項１】
親ボタン電話装置と、前記親ボタン電話装置とネットワークで接続される一つ又は複数の子ボタン電話装置とを備える複数のシステムにおけるシステムデータのコピー方法であって、
前記子ボタン電話装置のそれぞれに、自らが属するシステムの親ボタン電話装置が有するＩＤを割り振り、前記親ボタン電話装置から前記子ボタン電話装置にシステムデータをコピーする際にコピー元の親ボタン電話装置が有するＩＤと一致するＩＤが割り振られている子ボタン電話装置に対してシステムデータ内の漏洩を防止したい特有のデータを含む全てのデータをコピーし、コピー元の親ボタン電話装置が有するＩＤと一致するＩＤが割り振られていない子ボタン電話装置に対してはシステムデータ内の漏洩を防止したい特有のデータ以外のデータをコピーし、
更に、
子ボタン電話装置に、当該子ボタン電話装置の属するシステムの親ボタン電話装置のＩＤをコピーする第１のコピーステップと、
親ボタン電話装置に記録媒体を接続し、前記記録媒体に親ボタン電話装置のＩＤとシステムデータとをコピーする第２のコピーステップと、
子ボタン電話装置に前記記録媒体を接続し、接続した子ボタン電話装置のＩＤが、前記第２のコピーステップにおいてコピーされた親ボタン電話装置のＩＤと一致する場合は、システムデータの全てを子ボタン電話装置にコピーし、一致しない場合はシステムデータ内の、漏洩を防止したい特有のデータ以外のデータを子ボタン電話装置にコピーする第３のコピーステップと、
を備えることを特徴とするシステムデータのコピー方法。
【請求項２】
請求項１に記載のシステムデータのコピー方法であって、親ボタン電話装置が有するＩＤと子ボタン電話装置が有するＩＤが一致しない場合は、システムデータ内の、漏洩を防止したい特有のデータを前記記録媒体から消去することを特徴とするシステムデータのコピー方法。
【請求項３】
請求項１又は２に記載のシステムデータのコピー方法であって、前記親ボタン電話装置が複数のＩＤを有していることを特徴とするシステムデータのコピー方法。
【請求項４】
請求項１乃至３の何れか１項に記載のシステムデータのコピー方法であって、前記親ボタン電話装置が有するＩＤは、各親ボタン電話装置固有のものであり、各親ボタン電話装置のＩＤが重複しないことを特徴とするシステムデータのコピー方法。
【請求項５】
親ボタン電話装置と、前記親ボタン電話装置とネットワークで接続される一つ又は複数の子ボタン電話装置とを備える複数のシステムにおけるシステムデータのコピーシステムであって、
前記子ボタン電話装置のそれぞれに、自らが属するシステムの親ボタン電話装置が有するＩＤを割り振り、前記親ボタン電話装置から前記子ボタン電話装置にシステムデータをコピーする際にコピー元の親ボタン電話装置が有するＩＤと一致するＩＤが割り振られている子ボタン電話装置に対してシステムデータ内の漏洩を防止したい特有のデータを含む全てのデータをコピーし、コピー元の親ボタン電話装置が有するＩＤと一致するＩＤが割り振られていない子ボタン電話装置に対してはシステムデータ内の漏洩を防止したい特有のデータ以外のデータをコピーし、
更に、
子ボタン電話装置に、当該子ボタン電話装置の属するシステムの親ボタン電話装置のＩＤをコピーする第１のコピー手段と、
親ボタン電話装置に記録媒体を接続し、前記記録媒体に親ボタン電話装置のＩＤとシステムデータとをコピーする第２のコピー手段と、
子ボタン電話装置に前記記録媒体を接続し、接続した子ボタン電話装置のＩＤが、前記第２のコピー手段においてコピーされた親ボタン電話装置のＩＤと一致する場合は、システムデータの全てを子ボタン電話装置にコピーし、一致しない場合はシステムデータ内の、漏洩を防止したい特有のデータ以外のデータを子ボタン電話装置にコピーする第３のコピー手段と、
を備えることを特徴とするシステムデータのコピーシステム。
【請求項６】
請求項５に記載のシステムデータのコピーシステムであって、親ボタン電話装置が有するＩＤと子ボタン電話装置が有するＩＤが一致しない場合は、システムデータ内の、漏洩を防止したい特有のデータを前記記録媒体から消去することを特徴とするシステムデータのコピーシステム。
【請求項７】
請求項５又は６に記載のシステムデータのコピーシステムであって、前記親ボタン電話装置が複数のＩＤを有していることを特徴とするシステムデータのコピーシステム。
【請求項８】
請求項５乃至７の何れか１項に記載のシステムデータのコピーシステムであって、前記親ボタン電話装置が有するＩＤは、各親ボタン電話装置固有のものであり、各親ボタン電話装置のＩＤが重複しないことを特徴とするシステムデータのコピーシステム。
【発明の詳細な説明】
【技術分野】
【０００１】
本発明はボタン電話装置に関し、より詳細にはボタン電話装置のシステムデータのコピーに関する。
【背景技術】
【０００２】
主装置と専用電話機端末（以下、ボタン電話機と表記する）により構成される電話交換システムであるボタン電話システムは、企業等における電話通信に広く使用されている。
【０００３】
以下、このようなボタン電話システムをボタン電話装置と表記する。
【０００４】
また、企業においては、本社や支社，支店等、複数のボタン電話装置を異なる設置場所に設置し、各ボタン電話装置をネットワークで接続して使用している。以下、このような複数のボタン電話装置をネットワークで接続して使用している場合、その中の１つのボタン電話装置を親ボタン電話装置と表記し、その他の１つ又は複数のボタン電話装置を子ボタン電話装置と表記する。
【０００５】
この点、ボタン電話システムの設置業者は、システムデータの設定を行う際に、短時間に設定を行うために、基本的なシステムデータを再利用することがある。またアプリケーションとボタン電話装置を組み合わせて販売しているＳＩヤー（システムインテグレータ：System Integrator）もボタン電話装置の基本構成は設置ユーザが異なっても同じ構成とすることが多い。
【０００６】
このような場合にシステムデータをその都度手入力により入力し直すには、多くの時間が必要となるという問題がある。また、手入力をした場合は入力ミスが発生する可能性が有るという問題がある。特に近年は、装置の複雑化が進み設定すべき項目も多岐にわたることからこれらの問題が発生する傾向は顕著である。
【０００７】
そこで、システムデータを、メモリ等の記録装置に記録し、このデータを利用することにより、迅速かつ簡単にシステムデータの設定を行うという技術が存在する（例えば特許文献１参照）。
【０００８】
特許文献１に記載の技術では、ボタン電話装置のデータ設定装置を、外部メモリユニット、コネクタ、データおよび制御信号の伝送を行うバス、および前記外部メモリユニットに対してデータの読み書きの指示を行う操作手段等により構成する。この構成をとることにより外部メモリユニットにデータを記録できることから、容易にシステムデータの設定を行うことが可能となる。
【特許文献１】特開平０９−９３３３８号公報
【発明の開示】
【発明が解決しようとする課題】
【０００９】
一般的に、ボタン電話装置のシステムデータはボタン電話装置のハードウェア設定、端末設定、各電話機機能の設定および電話帳データ、メールアドレス等の個人情報データで構成される。上述した特許文献１の技術等を用いることにより、これらシステムデータはＵＳＢメモリ等のメディアにコピーすることが可能であり、このＵＳＢメモリ等のメディアを用いて他のボタン電話装置にコピーすることでシステムデータの作成を容易とすることができる。
【００１０】
しかし、コピーの際に個人情報を含むデータがＵＳＢメモリ等のメディアにより他のボタン電話システムにコピーできてしまうという問題がある。すなわち、ＵＳＢメモリ等でシステムデータをコピーできることは有用であるが、同時に個人情報の漏洩するおそれがあるといえ、近年の個人情報保護の観点から問題となる。また、個人情報に限らず、社内情報を漏洩する可能性があり問題となる。
【００１１】
そこで、本発明はボタン電話装置のシステムデータのコピー方法において、個人情報等の、漏洩を防止したい特有のデータのコピーの可否を決定することが可能な、システムデータのコピー方法、システムデータのコピー装置及びシステムデータのコピープログラムを提供することを目的とする。
【課題を解決するための手段】
【００１２】
本発明の第１の観点によれば、方法として、親ボタン電話装置と、前記親ボタン電話装置とネットワークで接続される一つ又は複数の子ボタン電話装置とを備える複数のシステムにおけるシステムデータのコピー方法であって、前記子ボタン電話装置のそれぞれに、自らが属するシステムの親ボタン電話装置が有するＩＤを割り振り、前記親ボタン電話装置から前記子ボタン電話装置にシステムデータをコピーする際にコピー元の親ボタン電話装置が有するＩＤと一致するＩＤが割り振られている子ボタン電話装置に対してシステムデータ内の漏洩を防止したい特有のデータを含む全てのデータをコピーし、コピー元の親ボタン電話装置が有するＩＤと一致するＩＤが割り振られていない子ボタン電話装置に対してはシステムデータ内の漏洩を防止したい特有のデータ以外のデータをコピーし、更に、子ボタン電話装置に、当該子ボタン電話装置の属するシステムの親ボタン電話装置のＩＤをコピーする第１のコピーステップと、親ボタン電話装置に記録媒体を接続し、前記記録媒体に親ボタン電話装置のＩＤとシステムデータとをコピーする第２のコピーステップと、子ボタン電話装置に前記記録媒体を接続し、接続した子ボタン電話装置のＩＤが、前記第２のコピーステップにおいてコピーされた親ボタン電話装置のＩＤと一致する場合は、システムデータの全てを子ボタン電話装置にコピーし、一致しない場合はシステムデータ内の、漏洩を防止したい特有のデータ以外のデータを子ボタン電話装置にコピーする第３のコピーステップと、を備えることを特徴とするシステムデータのコピー方法が提供される。
【００１３】
本発明の第２の観点によれば、システムとして、親ボタン電話装置と、前記親ボタン電話装置とネットワークで接続される一つ又は複数の子ボタン電話装置とを備える複数のシステムにおけるシステムデータのコピーシステムであって、前記子ボタン電話装置のそれぞれに、自らが属するシステムの親ボタン電話装置が有するＩＤを割り振り、前記親ボタン電話装置から前記子ボタン電話装置にシステムデータをコピーする際にコピー元の親ボタン電話装置が有するＩＤと一致するＩＤが割り振られている子ボタン電話装置に対してシステムデータ内の漏洩を防止したい特有のデータを含む全てのデータをコピーし、コピー元の親ボタン電話装置が有するＩＤと一致するＩＤが割り振られていない子ボタン電話装置に対してはシステムデータ内の漏洩を防止したい特有のデータ以外のデータをコピーし、
更に、
子ボタン電話装置に、当該子ボタン電話装置の属するシステムの親ボタン電話装置のＩＤをコピーする第１のコピー手段と、
親ボタン電話装置に記録媒体を接続し、前記記録媒体に親ボタン電話装置のＩＤとシステムデータとをコピーする第２のコピー手段と、
子ボタン電話装置に前記記録媒体を接続し、接続した子ボタン電話装置のＩＤが、前記第２のコピー手段においてコピーされた親ボタン電話装置のＩＤと一致する場合は、システムデータの全てを子ボタン電話装置にコピーし、一致しない場合はシステムデータ内の、漏洩を防止したい特有のデータ以外のデータを子ボタン電話装置にコピーする第３のコピー手段と、
を備えることを特徴とするシステムデータのコピーシステムが提供される。
【発明の効果】
【００１６】
本発明によれば、ボタン電話装置のシステムデータのコピー方法において、個人情報等の、漏洩を防止したい特有のデータのコピーの可否を決定することが可能となる。
【発明を実施するための最良の形態】
【００１７】
次に、本発明の実施形態について図面を用いて説明する。
【００１８】
本発明の実施形態は、ボタン電話装置のハードウェア固有のＩＤをネットワーク上で共有する手段と、システムデータのコピー時にＵＳＢメモリに固有のＩＤを記録する手段と、固有ＩＤの識別によりシステムデータ内の特有のデータのコピーを禁止する手段を有している。
【００１９】
図１にネットワークで接続されたボタン電話装置の構成を示す。本発明の実施形態は、１台の親ボタン電話装置Ａ１１と、親ボタン電話装置Ａ１１とネットワークにより相互に接続されている複数の子ボタン電話装置を有する。図１では、子ボタン電話装置として子ボタン電話装置Ｂ１２及び子ボタン電話装置Ｃ１３を示す。なお、図１では子ボタン電話装置を２台図示しているが、本発明の実施形態における子ボタン電話装置の台数は２台に限られるものではなく、３台以上の子ボタン電話装置に適用させることも可能である。
【００２０】
親ボタン電話装置Ａ１１には、ボタン電話機４０と、ＰＣ（Personal Computer）５０が接続されている。ボタン電話機４０及びＰＣ（Personal Computer）５０は、親ボタン電話装置Ａ１１においてシステムデータをコピーするための入出力インターフェイスとしての機能を有する。
【００２１】
また、同様に、ボタン電話機及びＰＣは、各子ボタン電話装置にも接続される。なお、各子ボタン電話装置に接続されるボタン電話機及びＰＣは図示を省略する。
【００２２】
親ボタン電話装置Ａ１１は、記憶部１１０、ＣＰＵ１１１及び不揮発性メモリ１１２を有する。記憶部１１０にはシステムデータ７０が格納されている。ここでシステムデータ７０は、ハードウェアの設定、端末の設定及び電話機能の設定に関しての情報を有している。なお、これら例示したもの以外に関する設定情報を更に付加してもよい。また、システムデータ７０は、ユーザの個人情報や企業内の機密情報などの漏洩を防止したい特有のデータを有している。なお、図１乃至５及び以下の説明では、上述の漏洩を防止したい特有のデータを単に「個人情報」と表記する。
【００２３】
ＣＰＵ１１１は、演算処理を行う機能を有する。ＣＰＵ１１１の制御によりシステムデータ７０のデータは適宜読み書きされ、これにより各ボタン電話装置が動作する。
【００２４】
不揮発性メモリ１１２には、親ボタン電話装置Ａ１１の固有ＩＤである、固有ＩＤ１  ３０が格納されている。
【００２５】
また、親ボタン電話装置Ａ１１には、記録媒体が接続可能であり、この接続した記録媒体にシステムデータ７０の内容を書き込むことが可能となっている。記録媒体としては、例えばＵＳＢメモリ等のフラッシュメモリや、フラッシュメモリをカード型にパッケージしたメモリカードなどが挙げられる。なお、記録媒体をボタン電話機４０又はＰＣ５０に接続し、ボタン電話機４０又はＰＣ５０経由で、親ボタン電話装置Ａ１１と記録媒体とでデータのやり取りを行うようにしてもよい。なお、図１では記録媒体として、ＵＳＢメモリ６０を図示する。
【００２６】
子ボタン電話装置Ｂ１２は、不揮発性メモリ１２１を有している。そして子ボタン電話装置Ｂ１２は、親ボタン電話装置Ａ１１の固有ＩＤ１  ３０を固有ＩＤ２  ３１としてコピーし、不揮発性メモリ１２１にて保持する。
【００２７】
同様に、子ボタン電話装置Ｃ１３は、不揮発性メモリ１３１を有している。そして子ボタン電話装置Ｃ１３は、親ボタン電話装置Ａ１１の固有ＩＤ１  ３０を固有ＩＤ３  ３２としてコピーし、不揮発性メモリ１３１にて保持する。
【００２８】
［実施形態の動作の説明］
図２にボタン電話装置のシステムデータをコピーする場合の動作について説明する。親ボタン電話装置Ａ１１にＵＳＢメモリ６０を接続し、親ボタン電話装置Ａ１１に接続されたボタン電話機４０の操作もしくはＰＣ５０からの命令により、親ボタン電話装置の不揮発性メモリ１１２および記憶部１１０に記憶されているシステムデータ等の内容をＵＳＢメモリ６０にコピーする（ステップＳ１）。
【００２９】
ＵＳＢメモリ６０には、親ボタン電話装置Ａ１１の固有ＩＤ（ＡＢＣＤＥＦＧ）およびシステムデータがコピーされる。
【００３０】
図３に示すように異なるネットワークに収容されたボタン電話装置の固有ＩＤは一致しない。ネットワークＡの固有ＩＤは、親ボタン電話装置Ａ１１の固有ＩＤである（ＡＢＣＤＥＦＧ）となっており、ネットワークＢの固有ＩＤは親ボタン電話装置Ｄ１４の固有ＩＤである（ＸＹＺＸＹＺ）となっている。
【００３１】
図４にＵＳＢメモリ６０のシステムデータをネットワークＡおよびネットワークＢのボタン電話装置にコピーする場合のフローチャートを示す。
【００３２】
ステップ２においてＵＳＢメモリ６０を子ボタン電話装置Ａ１２またはＥ１５に接続し、子ボタン電話装置Ａ１２またはＥ１５に接続されたボタン電話機の操作もしくはＰＣからの命令により、ＵＳＢメモリ６０の固有ＩＤとボタン電話装置の固有ＩＤが同一であるか確認を行う（ステップＳ２）。一致した場合はシステムデータの全体をコピーする（ステップＳ３）、一方、ネットワークＢのボタン電話装置にＵＳＢメモリのシステムデータをコピーする場合は固有ＩＤが一致しないため、個人情報データを除いたシステムデータのコピーを行う（ステップＳ４）。
【００３３】
図５に同一のネットワークおよび異なったネットワークでシステムデータをコピーした結果を示す。
【００３４】
以上説明した本発明の実施形態によれば、ボタン電話装置のシステムデータのコピー方法において、個人情報等の、漏洩を防止したい特有のデータのコピーの可否を決定することが可能となる。
【００３５】
［発明の他の実施形態］
異なるネットワークであっても同じグループ会社で個人情報データを共有する場合がある。固有ＩＤをボタン電話装置側で複数登録可能として、ＵＳＢメモリが複数のネットワークに個人情報データをコピーすることも可能である。
【００３６】
これにより、異なるネットワークであっても個人情報データを共有することが可能となる。
【００３７】
また異なった固有ＩＤのシステムにＵＳＢメモリを接続した場合に、個人情報データをＵＳＢメモリから消去するように設定することも可能である。
【００３８】
これにより、個人情報等のデータの漏洩を厳格に防止することが可能となる。
【００３９】
なお、本発明の実施形態である親ボタン電話装置及び子ボタン電話装置は、ハードウェア、ソフトウェア又はこれらの組合せにより実現することができる。
【図面の簡単な説明】
【００４０】
【図１】本発明の実施形態の基本的構成を表す図である。
【図２】本発明の実施形態でのＵＳＢメモリ６０へのコピーについて説明する図である。
【図３】本発明において異なる固定ＩＤを有するネットワークが存在する場合について説明する図である。
【図４】本発明の実施形態におけるシステムデータをコピーについて表す図である。
【図５】本発明の実施形態の動作結果について表す図である。
【符号の説明】
【００４１】
１１  親ボタン電話装置Ａ
１２  子ボタン電話装置Ｂ
１３  子ボタン電話装置Ｃ
１４  親ボタン電話装置Ｄ
１５  子ボタン電話装置Ｅ
３０  固有ＩＤ１
３１  固有ＩＤ２
３２  固有ＩＤ３
４０  ボタン電話機
５０  ＰＣ（Personal Computer）
６０  ＵＳＢメモリ
７０  システムデータ
１１０  記憶部
１１１  ＣＰＵ
１１２、１２１、１３１  不揮発性メモリ
【図１】
0005339404.tif 000002
【図２】
0005339404.tif 000003
【図３】
0005339404.tif 000004
【図４】
0005339404.tif 000005
【図５】
0005339404.tif 000006